(57)【特許請求の範囲】
【請求項１】
スロットが形成された導体板と、
前記スロットの長手方向に形成された第１線路部と、前記第１線路部と直交する方向に配設され、その一端が前記第１線路部と接続された第２線路部と、を有するストリップ線路と、
前記導体板と前記ストリップ線路との間に配設された誘電体と、を備え、
前記ストリップ線路の前記第１線路部は、前記スロットの投影領域内に配設され、前記第２線路部からの給電により前記スロット周辺の前記導体板と電磁的に接続され、
前記導体板は、前記スロットから、前記第１線路部の長辺と対向する前記導体板の辺まで、スリットが形成されている、
ことを特徴とする小型スロット型アンテナ。
【請求項２】
前記スリットは、前記スロットの長辺から前記導体板の前記辺まで形成されている、ことを特徴とする請求項１に記載の小型スロット型アンテナ。
【請求項３】
前記導体板は、互いにビア接続された状態で、所定間隔をおいて複数層配設され、
前記ストリップ線路は、いずれか１の前記導体板と同一平面に配設されている、ことを特徴とする請求項１、又は請求項２に記載の小型スロット型アンテナ。
【請求項４】
前記ストリップ線路は、前記第２線路部の幅方向の中心、前記スロットの長辺の中心から左右いずれかの方向にオフセットされている、ことを特徴とする請求項１から請求項３のうちのいずれか１の請求項に記載の小型スロット型アンテナ。
【発明の詳細な説明】
【技術分野】
【０００１】
本発明は、小型スロット型アンテナに係り、給電用のストリップ線路を用いたスロットアンテナに関する。
【背景技術】
【０００２】
携帯電話をはじめとして家電の制御や監視などの各分野において無線機器が幅広く使用されている。そして無線機器では、高い放射効率を確保しつつ小型化することが可能なアンテナが要求されている。
従来から広く使用されているアンテナとしてスロットアンテナがある。このスロットアンテナは、波長をλとした場合に金属基板に長さλ／２、幅０．０１λのスロットを形成し、スロットの縁と同軸線を電気的に接続するようにしたものである。
一方、非特許文献１には、電気的接続によりスロットに直接給電するのではなく、ストリップ線路を使用し、電磁的な結合によりスロットに給電する技術が提案されている。また、スロットアンテナにおいて、５０Ω給電との整合性を取りやすくすると共に、結合率を高め放射効率を高める（下げない）ための構成について提案されている。
【０００３】
図１４は、非特許文献１に基づくアンテナについて表したものである。
図１４に示すように、縦・横１００ｍｍ×１００ｍｍの金属基板１の中央に、長さ約λ／２（λは波長）のスロット２を形成し、厚さ０．４ｍｍの誘電体３を挟んで、スロット２の長手方向と交差する方向にストリップ線路４が配設されている。
スロットアンテナの周波数はｆ＝２．４ＧＨｚ帯のアンテナとして設計されている。このため、スロット長が５４ｍｍ、スロット幅が１．２ｍｍに形成されている。
一方、ストリップ線路４は、５０Ω給電との結合量（インピーダンス整合の具合）を高めることで放射効率を高めるため、矢印Ｑで示すように、その先端５（上側）が長さλｇ／４だけスロット２から突き出ている。λｇはスロット長がａのときに、丁度共振を起こす周波数のストリップ線路４上での伝搬波長を表している。
また、ストリップ線路４は、インピーダンス整合をとり易くするために、スロット２の長さ方向の中心から２０ｍｍ左側にオフセットした位置に配置している。
ストリップ線路４の他端（下側）は、図示しない高周波回路が接続される。
【０００４】
このスロットアンテナによれば、同軸線路による直接給電の場合に比べて、スロットを有するアンテナ部と給電部とをフォトエッチング等によって容易に制作することが可能である。
しかし、非特許文献１記載のスロットアンテナでは、ストリップ線路４を長さλｇ／４だけスロット２から突き出す（矢印Ｑ部分）必要がある。
このため、アンテナのサイズが大きくなるという課題があった。
【先行技術文献】
【非特許文献】
【０００５】
【非特許文献１】中岡快二郎、木村憲一、伊藤精彦、松本正著「ストリップ線路によって励振されたスロットアンテナ」1974年6月25日(北海道大学)
【発明の概要】
【発明が解決しようとする課題】
【０００６】
そこで本発明は、スロットとストリップ線路とを電磁的に結合した小型スロット型アンテナを、より小型化することを目的とする。
【課題を解決するための手段】
【０００７】
（１）請求項１に記載の発明では、スロットが形成された導体板と、前記スロットの長手方向に形成された第１線路部と、前記第１線路部と直交する方向に配設され、その一端が前記第１線路部と接続された第２線路部と、を有するストリップ線路と、前記導体板と前記ストリップ線路との間に配設された誘電体と、を備え、前記ストリップ線路の前記第１線路部は、前記スロットの投影領域内に配設され、前記第２線路部からの給電により前記スロット周辺の前記導体板と電磁的に接続され、前記導体板は、前記スロットから、前記第１線路部の長辺と対向する前記導体板の辺まで、スリットが形成されている、ことを特徴とする小型スロット型アンテナを提供する。
（２）請求項２に記載の発明では、前記スリットは、前記スロットの長辺から前記導体板の前記辺まで形成されている、ことを特徴とする請求項１に記載の小型スロット型アンテナを提供する。
（３）請求項３に記載の発明では、前記導体板は、互いにビア接続された状態で、所定間隔をおいて複数層配設され、前記ストリップ線路は、いずれか１の前記導体板と同一平面に配設されている、ことを特徴とする請求項１、又は請求項２に記載の小型スロット型アンテナを提供する。
（４）請求項４に記載の発明では、前記ストリップ線路は、前記第２線路部の幅方向の中心、前記スロットの長辺の中心から左右いずれかの方向にオフセットされている、ことを特徴とする請求項１から請求項３のうちのいずれか１の請求項に記載の小型スロット型アンテナを提供する。
【発明の効果】
【０００８】
（ａ）本発明によれば、ストリップ線路の第１線路部を、スロットの投影領域内に配設し、第２線路部からの給電によりスロット周辺の導体板と電磁的に接続されるように構成したので、小型スロット型アンテナをより小型化することができる。
（ｂ）また本発明によれば、スロットから導体板の辺までスリットが形成されているので、同一の共振周波数を基準にした場合に、より小型化することが可能になる。
（ｃ）請求項３記載の発明によれば、前記導体板は、互いにビア接続された状態で、所定間隔をおいて複数層配設されているので、同一の共振周波数を基準にした場合に、より小型化することが可能になる。
【図面の簡単な説明】
【０００９】
【図１】小型スロット型アンテナにおける第１実施形態の構成と特性について表した説明図である。
【図２】スロット端部にスリットを形成した小型スロット型アンテナの構成と特性について表した説明図である。
【図３】第２実施形態以降の各実施形態における、小型スロット型アンテナの各部の定義、サイズを規定するパラメータについて表した説明図である。
【図４】小型スロット型アンテナにおける第２実施形態の構成と特性について表した説明図である。
【図５】小型スロット型アンテナにおける第３実施形態の構成と特性について表した説明図である。
【図６】スリットを形成する向きが外向スリットか内向スリットかによる、共振周波数、帯域幅ＢＷ、効率について比較した説明図である。
【図７】第４実施形態における小型スロット型アンテナの構成と特性について表した説明図である。
【図８】第４実施形態の変形例における小型スロット型アンテナの構成と特性について表した説明図である。
【図９】第５実施形態における小型スロット型アンテナの構成と特性について表した説明図である。
【図１０】第５実施形態における、各層の金属基板、及び、ストリップ線路について表した説明図である。
【図１１】第５実施形態における、外部の高周波回路に接続される第２線路部４２の端部側の各種形状を表した断面図である。
【図１２】第６実施形態における小型スロット型アンテナの構成と特性について表した説明図である。
【図１３】第７実施形態における小型スロット型アンテナの構成と特性について表した説明図である。
【図１４】非特許文献１に基づくスロットアンテナについての説明図である。
【発明を実施するための形態】
【００１０】
以下、本発明の小型スロット型アンテナにおける好適な実施の形態について、図１から図１３を参照して詳細に説明する。
（１）実施形態の概要
本実施形態の小型スロット型アンテナ２０では、誘電体３０と、この誘電体３０を挟んで一方の面に配設された金属基板１１（導体板として機能）と、他方の面に配設されたストリップ線路４０を有している。
金属基板１１にはスロット２１が形成される。スロット２１周辺の金属基板１１には、直接給電（電気的接続）ではなく、ストリップ線路４０を使用して電磁的な結合により給電する電磁結合型給電を行うことで、給電との整合性や放射効率を維持させつつ、更に小型化をするために次の構成を採用する。
ストリップ線路４０を、スロット２１の長手方向に伸びる第１線路部４１と、この第１線路部４１と接続され交差する方向（実施形態では直角方向）に伸びる第２線路部４２とで構成する。
第１線路部４１をスロット２１の投影領域（スロット２１に平行光を照射した場合に投影される仮想の領域）内に配設（以下単に、スロット内配設という）する。
第２線路部４２は、一端側が第１線路部４１に接続され、他端側が高周波回路に接続される。第２線路部４２の一端側は、第１線路部４１の一方の端部と接続する場合（Ｌ字型という）の他、第１線路部４１の両端部の間に接続する場合（Ｔ字型という）のいずれも可能である。Ｔ字型の場合、第２線路部４２が第１線路部４１の中央に接続する場合と、左右いずれか一方の側にずれた状態で接続する場合も可能である。
【００１１】
第１線路部４１は、スロット２１周辺の金属基板１１と電磁的に結合する電磁結合型給電部として機能し、一方、第２線路部４２は高周波回路からの給電を第１線路部４１に供給する給電線として機能する。すなわち、第２線路部４２からの給電は、第１線路部４１を介して電磁的に供給されることになる。
【００１２】
本実施形態によれば、ストリップ線路４０の先端部分（第１線路部４１）がスロット内配設され、スロット２１の外側（投影領域の外側）に存在しないため、ストリップ線路４０を使用した小型のスロット型アンテナとすることができる。
【００１３】
また、スロット２１の長さ方向の１端側に、スロット２１から、スロット２１を形成する金属基板１１の端部までのスリットを形成することで、一層の小型化を実現している。
これは、スロット２１を形成している金属基板１１に、スロット２１から金属基板１１端までのスリットを形成すると、同一サイズスロット２１の場合に共振周波数が低下するという新知見に基づき、目的とする共振周波数に対して一層の小型化を可能にしたものである。
本実施形態では、スロット２１を、金属基板１１から数ミリ（例えば、３ｍｍ）の位置で、金属基板１１の端面とスロット２１の長辺とが平行になるように配置する。
スリットを形成することにより、スロット長を約１／３のサイズにすることができる。
【００１４】
更に、形成するスリット分の長さが必要になることから、スリットをスロット２１内に形成するようにする。具体的には、スロット２１を金属基板１１の端面から０コンマ数ミリ（例えば、０．５ｍｍ）の位置とし、スロット２１端部にスリットを形成する。
そして、スリットがスロット２１の内側に伸びるように、スロット２１と金属基板１１端面間の金属基板１１の端部（スリットで形成された開放端側の端部）から、スロット２１内に延伸させた内向き延伸部を形成する。これにより、スロット２１のスリット側の短辺と内向き延伸部との間に延長されたスリットが形成される。本明細書では、内向き延伸部を形成した場合のスリットを内向スリット、内向き延伸部を形成せずにスロット２１から金属基板１１端面まで形成したスリットを外向スリットということとする。
スリットを内向スリットとすることで、スリット長を確保しつつ、スロット２１をより金属基板１１端面に近づけることが可能になるので、よりアンテナを小型化することが可能になる。
【００１５】
本実施形態の小型スロット型アンテナは、金属基板１１の枚数を基準とした場合に単層（ストリップ線路４０を含めると２層）とすることも可能であるが、複数の層で形成することも可能である。
【００１６】
（２）実施形態の詳細（第１実施形態）
図１は小型スロット型アンテナにおける第１実施形態の構成と特性について表した説明図である。
図１（ａ）は、本実施形態の小型スロット型アンテナ２０を備えた小型スロット型アンテナモジュール１０の全体を、（ｂ）、（ｃ）は小型スロット型アンテナ２０部分を拡大した平面図、断面の一部を拡大したものである。
小型スロット型アンテナモジュール１０は、励振板として機能する金属基板１１とストリップ線路４０を備えており、金属基板１１を基準にした場合に単層（ストリップ線路４０を含めた場合は２層）で構成されている。
小型スロット型アンテナモジュール１０は、厚さ０．４ｍｍの誘電体３０を備えており、この誘電体３０を挟んで、その一方の側に金属基板１１が配設され、他方の側にストリップ線路４０が配設されている。
金属基板１１及び誘電体３０は、縦１００ｍｍ、横１００ｍｍの方形形状に形成されている。
【００１７】
説明する各実施形態における金属基板１１は、導電率σ＝５．９７７×１０｛７｝［Ｓ／ｍ］の銅で形成されるが、他の材料を使用することも可能である。なお、表記１０｛７｝における｛７｝は、累乗を示す指数を表している。
同じく説明する各実施形態における誘電体３０は絶縁層として機能し、本実施形態ではガラスエポキシ基板（比誘電率εｒ＝４．２５）を使用した場合について説明するが、他にテフロン・ファイバ基板（比誘電率εｒ≒２．６）、セラミック基板（比誘電率εｒ≒１０．０）等を使用することも可能である。（テフロンは登録商標）また誘電体として空気層を採用するようにしてもよい。
【００１８】
本実施形態の小型スロット型アンテナモジュール１０は、その１辺の近傍に小型スロット型アンテナ２０が形成されている。以下、本実施形態では、小型スロット型アンテナ２０として、共振周波数ｆ＝２．４ＧＨｚ帯のアンテナとして設計される場合を例に説明する。
【００１９】
金属基板１１の１辺から所定距離ｍ（本実施形態では、ｍ＝３ｍｍ）だけ離れて、小型スロット型アンテナ２０を構成するスロット２１が形成されている。以下、金属基板１１の１辺からスロット２１までの所定距離ｍの部分を、スロット端基板部１２と呼ぶこととする。本実施形態におけるスロット端基板部１２の幅（＝所定距離ｍ）は３ｍｍであり、スロットを中央に配設した従来のスロットアンテナ（図１４参照）に比べて、小型スロット型アンテナ２０を金属基板１１の端部に配設している。
スロット２１のサイズは、長手方向の長さが４７ｍｍ、短手方向の幅が１．２ｍｍである。
金属基板１１に対向して、誘電体３０の反対側には、アンテナへの給電線として機能し、小型スロット型アンテナ２０の一部を構成するストリップ線路４０が配設されている。ストリップ線路４０は、スロット２１の長手方向に伸びる第１線路部４１と、この第１線路部４１の長手方向の途中に接続される第２線路部４２を備えている。
【００２０】
なお、本実施形態のスロット２１のサイズは、図１４で示した従来のスロットアンテナの長さ（５４ｍｍ）と比べて、長さが少し短くなっている。
これは、小型スロット型アンテナ２０を本実施形態の形状（特に後述するストリップ線路４０の形状と配置）において、共振周波数ｆ＝２．４ＧＨｚ帯となるように調整したためである。
【００２１】
第２線路部４２は、その幅が０．８ｍｍで、一端側が第１線路部４１の中央部に接続され、他端側が高周波回路（図示しない）に接続されている。
第１線路部４１は、第２線路部４２（幅０．８ｍｍ）に対し、その左側の長さが６ｍｍ、右側の長さが６ｍｍで、全体の長さが１２．８ｍｍに形成されている。この第１線路部４１は、スロット２１の投影領域（平行光によってスロット２１が誘電体３０に投影される仮想の領域）内に配設されている。
第１線路部４１の両長辺のうちの、第２線路部４２が接続されていない側の辺と、スロット２１の辺との間隔（ギャップ）は０．４ｍｍである。
【００２２】
このストリップ線路４０は、スロット２１の中心から、その長さ方向のいずれか一方の側（図１では左側）に１５ｍｍオフセットされている。すなわち、ストリップ線路４０は、スロット２１の長さ方向の中心から左方向に１５ｍｍ離れた位置に第２線路部４２の幅方向の中心が位置するように配設されている。
【００２３】
図１（ｄ）、（ｅ）は、第１実施形態における小型スロット型アンテナ２０についてのスミスチャート特性とリターンロス特性についてのシミュレーション結果を表したものである（他の図も同じ）。
図１（ｄ）に示すように、第１実施形態の小型スロット型アンテナ２０は、反射損失が−６ｄＢ以下の周波数範囲は２．３８６ＧＨｚ〜２．５０８ＧＨｚと広帯域（帯域幅ＢＷ＝１２２．３２７ＭＨｚ）であり、その帯域の中心周波数は２．４４７ＧＨｚである。この広帯域性は、共振周波数を調整することで、例えば無線ＬＡＮの２．４ＧＨｚ帯を十分にカバーすることが可能となることは容易に想定できる。
また、小型スロット型アンテナ２０によれば、従来と比して放射効率が１０％弱低下しているが、２．４４ＧＨｚにおける放射効率はη＝８３．２％であり、アンテナとして十分な特性が確保されている。
【００２４】
また、図１（ｄ）のスミスチャートに示されるように、２．４４０ＧＨｚにてほぼクリティカルカップリング（臨界結合）が得られている。これにより、アンテナと高周波回路と接続されるストリップ線路４０（給電ライン）との結合が非常に良好であることがわかる。
【００２５】
以上説明したように、第１実施形態の小型スロット型アンテナ２０では、ストリップ線路４０のうち、結合量を高め放射効率を高めるための第１線路部４１が、スロット２１の投影領域内に配置されている。このように、ストリップ線路のスロットからの突き出し部分（図１４の矢印Ｑ部分）が存在しないため、本実施形態の小型スロット型アンテナ２０はアンテナサイズを小型化することが可能になる。
また、ストリップ線路の突き出し部分が無いので、金属基板１１の端部の辺に近づけてスロット２１を形成することが可能になり、その分小型スロット型アンテナ２０を配置する位置についての自由度が向上する。
【００２６】
（３）他の実施形態
次に、第１実施形態の小型スロット型アンテナ２０を更に小型化した他の実施形態について説明する。
この第２実施形態以降の小型スロット型アンテナ２０は、第１実施形態と同様に第１線路部４１をスロット２１の投影領域内に配設すると共に、更に、スロット端基板部１２に、スロット２１から金属基板１１の端部までのスリット２２を形成することで、より小型化を実現している。
図２は、スロット端部にスリットを形成した小型スロット型アンテナの構成と特性について表した説明図である。
図２（ａ）、（ｂ）は小型スロット型アンテナ２０の構成を表したものである。なお、アンテナ部分の側断面については図１（ｃ）と同様であるため省略している。
図２に示した小型スロット型アンテナ２０では、金属基板１１の端部からスロット２１まで、幅０．１ｍｍのスリット２２がスロット端基板部１２に形成されている。スリット２２の形成は、図２ではスロット２１の長手方向左側の端部に形成されているが、ここに限定されず他の箇所、例えば、右側端部や、左側端部と中央部との間、左側端部と中央部との間に形成するようにしてもよい。
【００２７】
図２の小型スロット型アンテナ２０は、このスリット２２を除き、その形状やサイズ等については図１で示した小型スロット型アンテナ２０と同じ構成である。
図１で説明した小型スロット型アンテナ２０では、その共振周波数（基本波）が２．４４ＧＨｚであるのに対し、図２（ｄ）のリターンロス特性においてＡ１で示すように、同一の構成にスリット２２を形成した小型スロット型アンテナ２０では共振周波数（基本波）がｆ＝１．０２ＧＨｚに低下している。
このことから、同一サイズのスロット型アンテナに対してスリットを形成することで、同一サイズであれば共振周波数が低下する（共振周波数を低下させることができる）、という新たな知見を得た。
すなわち、同一の共振周波数帯（ｆ＝２．４ＧＨｚ帯）であれば、スロット２１につながるスリット２２を形成することにより、よりスロット型アンテナのサイズを一層小さくすることができるとの知見が得られた。
そこで、第２実施形態以降の各実施形態では、スロット端基板部１２にスリットを設けた各小型スロット型アンテナ２０について説明する。
【００２８】
図３は、第２実施形態以降の各実施形態における、小型スロット型アンテナ２０の各部の定義、サイズを規定するパラメータについて表したものである。
図３（ａ）は、図２と同様に、スロット端基板部１２にスリット２２を形成した第２実施形態の場合で、（ｂ）はスロット端基板部１２のスリット側端部からスロット２１内方向に金属基板１１が延伸して形成された内向延伸部１３によってスリットが形成された第３実施形態以降の場合の例である。
【００２９】
図３（ａ）に示すように、金属基板１１（及び、誘電体３０）のサイズを示すパラメータとして、横の長さをＬ１、縦の長さをＬ２、小型スロット型アンテナ２０（小型スロット型アンテナモジュール１０）全体の厚さをＬ３とする。
なお、説明する各実施形態において、金属基板１１とストリップ線路４０は金属の薄膜により形成されるため、その厚さはほぼ０ｍｍとし、厚さＬ３の値には含めていない。従って、厚さＬ３＝誘電体３０の厚さで示されるが、実際の厚さは金属薄膜の厚さ（より厚い金属板を使用した場合にはその厚さ）を加えた厚さである。
【００３０】
スロット２１のサイズを示すパラメータとして、横（長手方向）の長さをａ、縦の長さ（幅）をｂとする。
ストリップ線路４０を示すパラメータとして、第２線路部４２の幅をＴ３とし、この幅Ｔ３を除いた第１線路部４１のスリット２２側の長さをＴ１、反対側の長さをＴ２、第１線路部４１全体の長さをＴ（＝Ｔ１＋Ｔ２＋Ｔ３）とする。また第１線路部４１の幅をＴ４とする。
【００３１】
スロット端基板部１２の幅（スロット２１から金属基板１１の端面までの長さ）をｍとする。
第１線路部４１とスロット端基板部１２との間隔（ギャップ）をＧとする。
スロット２１の中心と、第２線路部４２の幅の中心までの距離（オフセット値）をｃとする。
スリット２２のサイズを示すパラメータとして、その長さをＳ、幅をｄとする。
【００３２】
なお、図３（ａ）に示すように、スロット端基板部１２に形成したスリットを外向スリット２２といい、図３（ｂ）に示すように、内向延伸部１３とスロット２１の短辺との間に形成されるスリットを内向スリット２２というものとする。但し、両者を区別せずに共通して指定する場合にはスリット２２というものとする。
外向スリット２２の場合、その長さＳ＝スロット端基板部１２の幅ｍであり、内向スリット２２の場合、その長さＳ＝幅ｍ＋内向延伸部１３の長さである。
【００３３】
また、第２実施形態以降の各実施形態において、次のパラメータは同じ値であるため、その値を次に記載し、各実施形態での説明を省略する。
第１線路部４１の幅Ｔ４＝０．５ｍｍ、スリット２２の幅ｄ＝０．１ｍｍである。
後述する第３実施形態以降のスロット端基板部１２の幅ｍ＝０．５ｍｍ、内向延伸部１３の幅＝０．５ｍｍである。
また、第１線路部４１とスロット端基板部１２とのギャップＧは、内向スリット２２を形成した場合にＧ＝０．５ｍｍ、外向スリット２２を形成した場合にＧ＝０．４ｍｍである。
【００３４】
図４は、小型スロット型アンテナ２０における第２実施形態の構成と特性について表した説明図である。
第２実施形態における小型スロット型アンテナ２０は、共振周波数ｆ＝２．４ＧＨｚ帯とし、外向スリット２２を設けることでより小型化したものである。
この小型スロット型アンテナ２０のサイズは、図３（ａ）に示した値として次の通りである。
すなわち、小型スロット型アンテナモジュール１０は、横の長さＬ１＝１００ｍｍ、縦の長さＬ２＝１００ｍｍ、厚さＬ３＝０．４ｍｍ、スロット端基板部１２の幅ｍ＝外向スリット２２の長さＳ＝３ｍｍである。
スロット２１は、横の長さａ＝１６ｍｍ、幅ｂ＝１．２ｍｍである。
ストリップ線路４０は、第１線路部４１の全長Ｔ＝１０ｍｍ、長さＴ１＝３．２ｍｍ、長さＴ２＝６ｍｍ、第２線路部４２の幅Ｔ３＝０．８ｍｍ、ギャップＧ＝０．４ｍｍ、オフセット値ｓ＝１．５ｍｍである。
【００３５】
この第２実施形態の小型スロット型アンテナ２０によれば、図２に示した小型スロット型アンテナ２０が、外向スリット２２を設けることで低下（ｆ＝１．０２ＧＨｚ）した共振周波数をｆ＝２．４ＧＨｚ帯に合わせる（図４（ｄ）のＡ２参照）ことで、一層の小型化が実現されている。
すなわち、図２の小型スロット型アンテナ２０では、スロット２１のサイズがａ＝４７ｍｍ×ｂ＝１．２ｍｍであるのに対し、第２実施形態の小型スロット型アンテナ２０におけるスロット２１のサイズがａ＝１６ｍｍ×ｂ＝１．２ｍｍと、横幅のサイズが約１／３である。
そして図２の小型スロット型アンテナ２０は、図１で示した第１実施形態における小型スロット型アンテナ２０のスロット２１と同一サイズなので、第２実施形態の小型スロット型アンテナ２０は、第１実施形態における小型スロット型アンテナ２０と比較しても、その横幅のサイズを１／３とすることができ、一層の小型化が実現されている。
【００３６】
なお、図４（ｄ）に示すように、第２実施形態における放射効率はη＝８９．９％（２．４０ＧＨｚ）であり、第１実施形態よりも高い値が得られている。
【００３７】
次に第３実施形態について説明する。
図５は、小型スロット型アンテナ２０における第３実施形態の構成と特性について表した説明図である。
第２実施形態における小型スロット型アンテナ２０は外向スリット２２を設けたのに対し、この第３実施形態の小型スロット型アンテナ２０では、内向スリット２２を設けたものである。
第３実施形態の小型スロット型アンテナ２０も、第２実施形態と同様に、共振周波数ｆ＝２．４ＧＨｚ帯のアンテナとして形成している。
図５（ｂ）に示すように、小型スロット型アンテナ２０は、スロット端基板部１２からスロット２１の内側方向に伸びる内向スリット２２が形成されている。
すなわち、小型スロット型アンテナ２０には、スロット端基板部１２のスリット側端部からスロット２１内に延伸する内向延伸部１３が形成され、この内向延伸部１３の延伸方向に伸びる長辺の一方と、スロット２１との間で内向スリット２２が形成されている。
【００３８】
第３実施形態における小型スロット型アンテナ２０のサイズは、図３（ａ）に示した値として次の通りである。
すなわち、小型スロット型アンテナモジュール１０は、横の長さＬ１＝１００ｍｍ、縦の長さＬ２＝１００ｍｍ、厚さＬ３＝０．４ｍｍ、ギャップＧ＝０．５ｍｍ、オフセット値ｓ＝１．５ｍｍであり、これらの値は第２実施形態と同じである。
一方、第２実施形態と異なり、第３実施形態におけるスロット２１は、横の長さａ＝１５ｍｍ、幅ｂ＝２ｍｍであり、スロット端基板部１２の幅ｍ＝０．５ｍｍ、内向スリット２２の長さＳ＝２ｍｍであり、第１線路部４１の全長Ｔ＝６．８ｍｍ、長さＴ１＝Ｔ２＝３ｍｍ、第２線路部４２の幅Ｔ３＝０．８ｍｍである。
【００３９】
この実施形態では、スロット２１内に内向延伸部１３を形成し、この両者の間で内向スリット２２を形成することにより、所定量のスリット長Ｓを確保することができる。
すなわち、第２実施形態では、外向スリット２２のスリット長Ｓ＝スロット端基板部１２の幅ｍであるため、所定量のスリット長Ｓを確保するためにはスロット端基板部１２の幅ｍを確保する必要がある。
これに対して、本実施形態の内向スリット２２では、スロット２１内に内向スリット２２が形成されているため、所定量のスリット長Ｓを確保しつつ、スロット端基板部１２の幅を狭くすることができる。
これにより、小型スロット型アンテナ２０を、小型スロット型アンテナモジュール１０のより端部側に寄せて形成することが可能になる。
【００４０】
本実施形態の小型スロット型アンテナ２０では、内向延伸部１３を形成するために、スロット２１の幅ｂ＝２ｍｍであり、実施形態２の同幅ｂ＝１．２ｍｍよりも広くなっているが、スロット端基板部１２の幅ｍ＝０．５ｍｍであり、第２実施形態の同幅ｍ＝３ｍｍに比べて小さな値となっている。
このため、両幅の合計値（ｂ＋ｍ）の値は第２実施形態では４．２ｍｍであるのに対して、本実施形態では２．５ｍｍであり、スロット端基板部１２を含めた小型スロット型アンテナ２０を形成に必要な領域をより小型化することができる。
【００４１】
なお、第３実施形態における小型スロット型アンテナ２０の特性については、図５（ｃ）、（ｄ）に示す通りであり、２．４５ＧＨｚにおける放射効率はη＝８０．０％であり、アンテナとして十分な特性が確保されている。
【００４２】
図６は、スリット２２を形成する向きが外向スリット２２か内向スリット２２かによる、共振周波数、帯域幅ＢＷ、効率について比較したものである。
図６（ａ）は、外向スリット２２と内向スリット２２の長さＳを変化させた場合の、各小型スロット型アンテナ２０の特性値（共振周波数、帯域幅、効率）を表した表で、この特性値のうち共振周波数の変化を表したものが（ｂ）、帯域幅を表した物が（ｃ）である。
なお、図６（ａ）におけるスリット長Ｓ、及び、（ｃ）、（ｄ）のｘ軸の値Ｓは、スロット端基板部１２の幅ｍ＝０．５ｍｍの場合の外向スリット２２の場合を基準（Ｓ＝０．５）として、ｘ軸がマイナスの場合が内向スリット２２で、プラスの場合が外向スリット２２である。
【００４３】
図６において、基準となるＳ＝０．５ｍｍの場合の小型スロット型アンテナ２０は、図１２の第６実施形態で後述する小型スロット型アンテナ２０と同様に、金属基板１１と、第１線路部４１が複数層（４層）に形成され（第２線路部４２は単層）、金属基板１１の各層、及び、第１線路部４１の各層は各々がビア接続されている。
そして、図６において、基準となるＳ＝０．５ｍｍの場合の小型スロット型アンテナ２０の各部の寸法については、次の通りである。
すなわち、小型スロット型アンテナモジュール１０が横の長さＬ１＝５０ｍｍ、縦の長さＬ２＝３０ｍｍ、スロット端基板部１２の幅ｍ＝０．５ｍｍであり、スロット２１は横の長さａ＝５．０５ｍｍ、縦の長さｂ＝４．５ｍｍであり、ギャップＧ＝０．５ｍｍ、オフセット値ｓ＝０．５５、スリットの幅ｄ＝０．１ｍｍ、第１線路部４１の長さＴ＝３．４５ｍｍ、第１線路部４１の幅Ｔ４＝０．５ｍｍ、第２線路部４２の幅Ｔ３＝０．５５ｍｍである。
他の小型スロット型アンテナ２０については、外向スリット２２の場合に整合性を改善するためにギャップＧの値を調整した以外は同形状のアンテナ（多層）としている。外向スリット２２のギャップＧは、Ｓ＝１．５ｍｍの場合はギャップＧ＝０．３ｍｍで、Ｓ＝２．５〜４．５ｍｍの場合はギャップＧ＝０．１ｍｍ、である。
この図６から、外向スリット２２については、その長さに応じて特性が変化するが、向きについては内向スリット２２と外向スリット２２でほぼ同じ特性が得られていることがわかる。
なお、図６は、金属基板１１と第１線路部４１が多層化された各小型スロット型アンテナ２０についてのシミュレーション結果を示しているが、金属基板１１と第１線路部４１を単層化した小型スロット型アンテナ２０についても、内向きスリット２２と外向きスリット２２とでほぼ同じ特性が得られる。
すなわち、単層化した各小型スロット型アンテナ２０に対する共振周波数、帯域幅、効率の値は、図６の値と異なるが、基準となるＳ＝０．５の場合の小型スロット型アンテナ２０に対して、内向スリット２２と外向スリット２２とでほぼ同じ特性値（左右約対称のグラフ）となる。
【００４４】
次に第４実施形態について説明する。
図７は、第４実施形態における小型スロット型アンテナ２０の構成と特性について表した説明図である。
この第４実施形態の小型スロット型アンテナ２０は、第３実施形態に比べて、長さをより短くすることで、アンテナ部分の形状を整えたものである。
すなわち、第３実施形態ではスロット２１が長さａ＝１５ｍｍ、幅ｂ＝２ｍｍであったのに対し、第４実施形態における小型スロット型アンテナ２０では、スロット２１の大きさを長さａ＝１０ｍｍ、幅ｂ＝３．５ｍｍとしている。
また、スロット２１の幅を広げたことに伴い、内向スリット２２の長さをＳ＝３．５ｍｍ（第３実施形態ではＳ＝２．０ｍｍ）と長くすることで、図７（ｄ）に示すように、放射効率を８２．７％（２．４７ＧＨｚ）と高めている。
【００４５】
なお、第４実施形態における小型スロット型アンテナモジュール１０は、横の長さＬ１＝１００ｍｍ、縦の長さＬ２＝１００ｍｍ、厚さＬ３＝０．４ｍｍである。
また、スロット端基板部１２の幅ｍ＝０．５ｍｍ、第１線路部４１の全長Ｔ＝６．８ｍｍ、長さＴ１＝長さＴ２＝３ｍｍ、第２線路部４２の幅Ｔ３＝０．８ｍｍ、ギャップＧ＝０．５ｍｍ、オフセット値ｓ＝０．２５ｍｍである。
【００４６】
次に第４実施形態の変形例について説明する。
図８は、第４実施形態の変形例における小型スロット型アンテナ２０の構成と特性について表した説明図である。
この変形例では、スロット２１やストリップ線路４０の形状は第４実施形態と同一とし、小型スロット型アンテナ２０を配設する金属基板１１と誘電体３０のサイズを小型化した場合の変形例を表したものである。
すなわち、図８（ａ）に示すように、小型スロット型アンテナ２０の金属基板１１と誘電体３０のサイズを、１００ｍｍ×１００ｍｍから３０ｍｍ×３０ｍｍに小型化している。但し、厚さについては誘電体３０の厚さでＬ３＝０．４ｍｍで同じである。
なお、上述したように、図８（ｂ）に示した小型スロット型アンテナ２０の各部のサイズについては、図７（ｂ）に示した第４実施形態の小型スロット型アンテナ２０と同一である。
【００４７】
第４実施形態の変形例による小型スロット型アンテナ２０では、図８（ｄ）に示すように、小型化に伴い放射効率ηが８２．７％から７４．０％に低下している。
しかし、小型のスロットアンテナにおいて５０％以上の十分な放射効率を確保しつつ、金属基板１１の面積比で１／１０以下にすることが可能であり、小型の電子機器への搭載が可能である。
【００４８】
次に第５実施形態について説明する。
第１実施形態から第４実施形態までの各小型スロット型アンテナ２０では、図１（ｃ）に示したように、１層の金属基板１１に、誘電体３０を挟んで他方の面にストリップ線路４０を配置したものである。
これに対して第５以降の各実施形態では、金属基板１１を複数層設けることで多層構造の小型スロット型アンテナ２０とし、各層の金属基板１１ａ〜ｄの間に誘電体３０ａ〜ｃを配設したものである。
【００４９】
図９は、第５実施形態における小型スロット型アンテナ２０の構成と特性について表した説明図である。
この第５実施形態の小型スロット型アンテナ２０の形状は、第４実施形態における、金属基板１１を多層化したもので、金属基板１１ａ〜ｄのサイズ、形状は同一である。なお、図９では、各層の金属基板１１ａ〜ｄについては纏めて金属基板１１で表している（以下同じ）。
但し、多層化に伴い、各層の金属基板１１ａ〜ｄの間には誘電体３０ａ〜ｃ（図示しない）が挟まれ、各金属基板１１はスロット２１の周囲に形成したスルーホール１５によりビア接続されている。
【００５０】
第５実施形態における小型スロット型アンテナモジュール１０は、横の長さＬ１＝１００ｍｍ、縦の長さＬ２＝１００ｍｍ、厚さＬ３＝１．４ｍｍ、スロット端基板部１２の幅ｍ＝０．５ｍｍである。
スロット２１は、横の長さａ＝１０ｍｍ、幅ｂ＝３．５ｍｍであり、第１線路部４１は、全長Ｔ＝６．８ｍｍ、長さＴ１＝Ｔ２＝３ｍｍ、第２線路部４２の幅Ｔ３＝０．８ｍｍ、ギャップＧ＝０．５ｍｍ、オフセット値ｓ＝０．２５ｍｍである。また、内向スリット２２は、長さＳ＝３．５ｍｍである。
【００５１】
なお、小型スロット型アンテナモジュール１０の厚さＬ３＝１．４ｍｍは、上述したように誘電体３０ａ〜ｃ全体の厚さであり、本実施形態では、１層目の金属基板１１ａと２層目の金属基板１１ｂとの間、及び、３層目の金属基板１１ｃと４層目の金属基板１１ｄとの間に挟まれる誘電体３０ａ、３０ｃの厚さがそれぞれ０．４ｍｍである。また、２層目の金属基板１１ｂと３層目の金属基板１１ｃとの間の間に挟まれる誘電体３０ｂの厚さが０．６ｍｍである。
【００５２】
図１０は、各層の金属基板１１ａ〜１１ｄ、及び、ストリップ線路４０について表したものである。
図１０（ａ）、（ｂ）、（ｄ）は第１、２、４層の状態を表したもので、同一形状、サイズの金属基板１１ａ、ｂ、ｄで構成される。但し、図１１で後述するように、第２線路部４２の第１線路部４１と接続していない側の端部に形成される給電端子５５〜５７に対応して貫通孔が形成される。
図１０（ｃ）は、第３層の状態を表したもので、第３層の金属基板１１ｃとストリップ線路４０で構成される。この第５実施形態では、ストリップ線路４０は第３層にだけ形成されている。
第３層の金属基板１１ｃは、ストリップ線路４０との電気的接続を回避し、第２線路部４２を通すための給電部用スリット１６が形成されている。この給電部用スリット１６は、第２線路部４２の端部までの長さよりも僅かに長く形成されている。
第３層の金属基板１１ｃと同一平面上にストリップ線路４０が配設され、第２線路部４２は給電部用スリット１６に配設される。
【００５３】
図１０に示されるように、各金属基板１１ａ〜ｄのそれぞれには、スロット２１を囲む同一位置にビア接続用のスルーホール１５が複数形成されている。
なお、図示していないが、スルーホール１５については、スロット２１周辺だけでなく、金属基板１１ａ〜ｄの全体に形成するようにしてもよい。
【００５４】
なお、第５実施形態を含め、各層間に配設される誘電体３０の厚さは、１、２層間と３、４層間が０．４ｍｍで、２、３層間が０．６ｍｍの場合について説明したが、各層間の厚さは任意である。
また、第５実施形態では、ストリップ線路４０を３層目に配設するが、いずれの層に配設するようにしてもよい。但し、ストリップ線路４０を配設した層に給電部用スリット１６を形成した金属基板１１（図１０（ｃ）参照）を配設する必要がある。
【００５５】
図１１は、外部の高周波回路に接続される第２線路部４２の端部側の各種形状を表した断面図である。
図１１（ａ）は、小型スロット型アンテナモジュール１０における１層目の金属基板１１ａ側に給電端子５５を形成した場合の第１の例である。
すなわち、第２線路部４２の給電端部に対応する位置で、誘電体３０ａと誘電体３０ｂにスルーホール５１を形成すると共に、１層目の金属基板１１ａと２層目の金属基板１１ｂに、スルーホール５１よりも大きな開口部を形成し、開口部の内側に給電端子５５が形成される。
そして、スルーホール５１の内周面がメッキされ、又はスルーホール５１内に導電ペーストが充填されることで、給電端子５５と第２線路部４２の端部とがビア接続される。
【００５６】
図１１（ｂ）は、第１の例とは逆の面、すなわち、４層目の金属基板１１ｄ側に給電端子５６を形成した場合の第２の例である。
この例では、第２線路部４２の給電端部に対応する位置で、誘電体３０ｃにスルーホール５２を形成するとともに、４層目の金属基板１１ｄに設けた開口部の内側に給電端子５６が形成される。
そして、スルーホール５２の内周面がメッキされ、又はスルーホール５２内に導電ペーストが充填されることで、給電端子５６と第２線路部４２の端部とがビア接続される。
【００５７】
図１１（ｃ）は、第２線路部４２の長さ方向における誘電体３０ｃの長さを、誘電体３０ａと誘電体３０ｂよりも長くし、第２線路部４２も誘電体３０ａ、誘電体３０ｂよりも長く形成したものである。
この場合、第２線路部４２の端部が給電端子５７として機能する。
なお、図１１（ｃ）では、誘電体３０ｃを誘電体３０ａ、ｂよりも大きくしたことにあわせて、誘電体３０ｃを挟む第３、４層の金属基板１１ｃ、ｄも、第１、２層の金属基板１１ａ、ｂよりも大きく形成しているが、金属基板１１ｃ、ｄを誘電体３０ｃよりも小さく（第２線路部４２の長さ方向を短く）することで第１、２層の金属基板１１ａ、ｂと同じ大きさに形成するようにしてもよい。
【００５８】
図１１（ｄ）は、スルーホールなどを形成せず、第２線路部４２を、そのままメイン回路基板に一体として形成し、メイン回路基板の他の電気素子５３（他の回路パターン）を介して高周波回路に接続するようにしたものである。
【００５９】
なお、図１０で説明したように、第２線路部４２が配設される層の金属基板１１に給電部用スリット１６を形成し、その他の形状、サイズは他の層の金属基板１１と同じである点は、金属基板１１を複数層設ける他の実施形態においても同じである。
また、図１１で説明したように、第２線路部４２端部に対応する各層の形状は、金属基板１１を複数層設ける他の実施形態においても同じである。
【００６０】
以上、第５実施形態では、第４実施形態における金属基板１１を多層化した小型スロット型アンテナ２０について説明した。
図７で説明したように、第４実施形態の小型スロット型アンテナ２０は、共振周波数ｆ＝２．４７ＧＨｚである。
これに対して、第４実施形態と同一形状の金属基板１１を多層化した第５実施形態の小型スロット型アンテナ２０によれば、図９（ｄ）に示すように、多層化によって共振周波数がｆ＝１．６６ＧＨｚに低下している。
【００６１】
従って、スリット２２を形成することで小型化した小型スロット型アンテナ２０を、金属基板１１を多層化することで、共振周波数が低下する（共振周波数を低下させることができる）、という新たな知見を得た。
すなわち、同一の共振周波数帯（ｆ＝２．４ＧＨｚ帯）であれば、スロット２１につながるスリット２２を形成したことによる小型化に加え、金属基板１１の多層化によって小型スロット型アンテナ２０のアンテナのサイズを一層小さくすることができるとの知見が得られた。
【００６２】
なお、第５実施形態では、内向スリット２２の場合の多層化について説明したが、図６で説明したように、内向スリット２２と外向スリット２２ではほぼ同じ特性を示したように、外向スリット２２の金属基板１１を多層化した小型スロット型アンテナ２０においても、同様に共振周波数が低下する。
【００６３】
次に、第６実施形態について説明する。
第５実施形態では、金属基板１１を多層構造とすることにより共振周波数ｆが低下することについて説明した。そして、第５実施形態では、３層目の金属基板１１ｃと同一平面にストリップ線路４０を配設した。
これに対して第６実施形態では、多層化した金属基板１１と誘電体３０は第５実施形態と同一とし、ストリップ線路４０の第１線路部４１を多層化したものである。
【００６４】
図１２は、第６実施形態における小型スロット型アンテナ２０の構成と特性について表した説明図である。
この第６実施形態の小型スロット型アンテナ２０は、４つの第１線路部４１ａ〜ｄが、各層の金属基板１１ａ〜ｄ毎に配設されている。
各第１線路部４１ａ〜ｄには、図１２（ｂ）に示すように、同一位置にスルーホール４３が形成され、ビア接続されている。なお、図では、スルーホール４３を２つ形成する場合について示しているが、３つ以上とすることも可能である。
【００６５】
本実施形態では、第５実施形態と同様に、第２線路部４２が第３層の金属基板１１と同一平面に配設されている。
すなわち、図１０（ｃ）で説明したように、第３層の金属基板１１ｃには、給電部用スリット１６が形成されている。
そして、第３層の第１線路部４１ｃと接続した第２線路部４２が、この給電部用スリット１６内に配設される。第２線路部４２の他端側は図１１で説明したのと同様なので説明を省略する。
【００６６】
本実施形態の小型スロット型アンテナ２０によれば、図１２（ｄ）に示されるように、金属基板１１が単層の場合に比べて、金属基板１１の積層化によって、第５実施形態と同様に共振周波数がｆ＝１．６４ＧＨｚと低下している。放射効率については、第５実施形態とほぼ同一の放射効率η＝７５．５％である。
【００６７】
また、第１線路部４１が単層である第１〜第５実施形態の小型スロット型アンテナ２０では、いずれの場合もクリティカルカップリング〜アンダー（疎）カップリングである。
これに対して、本実施形態では、図１２（ｃ）に示されるように、第１線路部４１を多層化することで、オーバー（密）カップリングとなっている。
従って、第１線路部４１の積層化により、オーバー〜クリティカル〜アンダーと自在にインピーダンス整合の具合（結合量）を調整することが可能となる。
【００６８】
また、この結合量については、第１線路部４１とスロット端基板部１２との間隔（ギャップＧ）を変更することにより調整することも可能である。
すなわち、ギャップＧを小さくすることで結合量を増やしてオーバーカップリング状態に、ギャップＧを大きくすることで結合量を減らしてクリティカルカップリング状態とすることが可能である。
【００６９】
次に第７実施形態について説明する。
第５実施形態では、同一形状の金属基板１１を多層化することで単層（共振周波ｆ＝２．４ＧＨｚ帯）の場合に比べて共振周波数ｆを低下させることが可能である。
そこで、第７実施形態では、金属基板１１を多層化し、共振周波ｆ＝２．４ＧＨｚ帯とすることで、小型スロット型アンテナ２０を更に小型化したものである。
【００７０】
図１３は、第７実施形態における小型スロット型アンテナ２０の構成と特性について表した説明図である。
第７実施形態の小型スロット型アンテナ２０では、図１３（ａ）、（ｂ）に示されるように、共振周波ｆ＝２．４ＧＨｚ帯となるようにその形状を最適化している。
すなわち、この小型スロット型アンテナ２０のサイズは、図３（ａ）に示した値として次の通りである。
小型スロット型アンテナモジュール１０は、横の長さＬ１＝１００ｍｍ、縦の長さＬ２＝１００ｍｍ、厚さＬ３＝１．４ｍｍである。また、スロット端基板部１２の幅ｍ＝０．５ｍｍである。
スロット２１は、横の長さａ＝５ｍｍ、幅ｂ＝４ｍｍである。
第１線路部４１の全長Ｔ＝３．４ｍｍ、長さＴ１＝０．７ｍｍ、長さＴ２＝２．２ｍｍ、第２線路部４２の幅Ｔ３＝０．５ｍｍ、ギャップＧ＝０．７ｍｍ、オフセット値ｓ＝０．４５ｍｍである。なお、ギャップＧは、結合量を減らすために広げている。
内向スリット２２は、長さＳ＝２．７ｍｍである。
【００７１】
本実施形態では、第５実施形態と同様に、金属基板１１と誘電体３０を多層化し、ストリップ線路４０は単層で金属基板１１ｃの第３層に形成されている。
なお、本実施形態の小型スロット型アンテナ２０では、図１３（ｂ）に示すように、内向スリット２２を形成するための内向延伸部１３にもスルーホール１５が形成され、各層の内向延伸部１３がビア接続されているが、第５、第６実施形態と同様に、内向延伸部１３のスルーホールとビア接続をなくすようにしてもよい。
逆に、第５、第６実施形態の内向延伸部１３にも本実施形態と同様に、スルーホール１５を形成しビア接続するようにしてもよい。
【００７２】
本実施形態の小型スロット型アンテナ２０によれば、内向スリット２２を採用している小型スロット型アンテナ２０における、スロット２１のサイズを面積比で比較すると、本実施形態は、第３実施形態と比べて約６７％、第４、第５実施形態に比べて面積比で約５７％と小型化されている。
そして、図１３（ｄ）に示すように、共振周波数ｆ＝２．４６ＧＨｚにおける放射効率はη＝７４．８％と十分な性能が確保されている。
【００７３】
以上、第１実施形態から第７実施形態、及び、変形例について説明したが、本発明はこれらに限定されるものではなく各請求項記載の範囲で種々の変形が可能である。
例えば、説明した実施形態では、ストリップ線路４０の形状として、第１線路部４１の両端部から中央よりの所定位置に第１線路部４１が接続される場合、すなわち、長さＴ１とＴ２をいずれもＴ１＞０、Ｔ２＞０とすることで、Ｔ字形状のストリップ線路４０とした。
これに対して、Ｔ１とＴ２のいずれか一方の値をゼロとすることで、Ｌ字形状のストリップ線路４０としてもよい。
【００７４】
また、説明した各実施形態では、スリット２２をスロット２１に対し、各図面左側に形成した場合を例に説明したが、逆側（図面右側）に形成するようにしてもよい。但し、内向スリット２２の場合には同じ側に内向延伸部１３を形成する。
また、外向スリット２２の場合には、スロット２１の端部に形成する場合以外に、スロット２１の端部から中央よりに形成するようにしてもよい。但し、外向スリット２２の位置は、スロット２１の端部と第１線路部４１の同じ側の端部との間に形成する必要がある。
【００７５】
また、図１から図８で説明した各実施形態、変形例では、金属基板１１を基準にした単層とし、誘電体３０を挟んでストリップ線路４０を配置する場合（金属基板１１とストリップ線路４０の２層）について説明したが、ストリップ線路４０を金属基板１１と同一平面上に配設するようにしてもよい。
すなわち、多層の場合について説明した図１０における、図１０（ｃ）の第３層だけで小型スロット型アンテナ２０を構成するようにしてもよい。この場合金属基板１１ｃとストリップ線路４０は同一平面上に存在するため、両者に挟まれる誘電体３０は存在しないが、スロット２１内を誘電体で満たすことは可能である。
【００７６】
また、説明した各実施形態、変形例では、金属基板１１の端部にスロット２１を形成し、これに対応してストリップ線路４０を配設する場合、すなわち、小型スロット型アンテナ２０を端部に配設する場合について説明した。
これに対して、金属基板１１の中央や角部等の他の位置にスロット２１（小型スロット型アンテナ２０）を配設するようにしてもよい。
特に本実施形態の小型スロット型アンテナ２０は、従来のスロット型アンテナに比べて十分に小型化されているので、アンテナの配置位置に関する自由度が高い。このため、携帯機器のアンテナに適用した場合の、設計自由度を向上させることができる。
【００７７】
以上説明したように、本実施形態及び変形例によれば、スロット２１周辺の金属基板１１への給電方式として、電気的な接続による直接給電ではなく、第１線路部４１による電磁的な接続による電磁結合給電としている。
そして、第１線路部４１を、スロット２１の投影領域内に配設しているので、ストリップ線路４０がスロット２１外部に突き出した従来のスロットアンテナに比べて、より小型化することができる。
【００７８】
また、スロット２１から金属基板１１の辺までのスリットを形成すると共振周波数ｆが低下するという新知見に基づいて、スリット２２を設けることで、同一共振周波数を基準とした場合に、小型スロット型アンテナ２０をより小型化することができる。
【００７９】
また、スリット２２を内向スリット２２とすることで、内向スリット２２の長さＳを十分に確保できるので、スロット端基板部１２の幅を狭くことが可能になる。これにより、小型スロット型アンテナ２０を金属基板１１のより端辺側や、角に近づけて配設することが可能になる。また、携帯端末等の通信機能を備えた小型電子機器において、小型スロット型アンテナ２０を使用することで他の部品を含めた配置が容易になる。
【００８０】
更に、小型スロット型アンテナ２０の金属基板１１を多層化すると共振周波数が低下するという新知見に基づいて、金属基板１１を多層化することで、同一共振周波数を基準とした場合に、小型スロット型アンテナ２０をより小型化することができる。
【００８１】
なお、本実施形態の小型スロット型アンテナを次の様に構成することも可能である。
（１）第１構成
スロットが形成された導体板と、
前記スロットの長手方向に形成された第１線路部と、前記第１線路部と直交する方向に配設され、その一端が前記第１線路部と接続された第２線路部と、を有するストリップ線路と、
前記導体板と前記ストリップ線路との間に配設された誘電体と、を備え、
前記ストリップ線路の前記第１線路部は、前記スロットの投影領域内に配設され、前記第２線路部からの給電により前記スロット周辺の前記導体板と電磁的に接続される、ことを特徴とする小型スロット型アンテナ。
（２）第２構成
前記導体板は、前記スロットから、前記第１線路部の長辺と対向する前記導体板の辺まで、スリットが形成されている、ことを特徴とする第１構成に記載の小型スロット型アンテナ。
（３）第３構成
前記スリットは、前記スロットの長辺から前記導体板の前記辺まで形成されている、
ことを特徴とする第２構成に記載の小型スロット型アンテナ。
（４）第４構成
前記導体板は、前記スロットと前記導体板の前記辺との間で構成されるスロット端基板部と、前記スロット端基板部から前記スロットの内側に延伸して形成された内向延伸部と、を備え、
前記スリットは、前記スロットの短手方向の辺と、前記内向延伸部との間により、前記スロット内に延伸して形成されている、
ことを特徴とする第２構成に記載の小型スロット型アンテナ。
（５）第５構成
前記導体板は、所定間隔をおいて複数層配設されると共に、互いにビア接続され、
前記ストリップ線路は、いずれか１の前記導体板と同一平面に配設されている、
ことを特徴とする第１構成から第４構成のうちのいずれか１の構成に記載の小型スロット型アンテナ。
（６）第６構成
前記導体板は、所定間隔をおいて複数層配設されると共に、互いにビア接続され、
前記ストリップ線路は、複数の前記第１線路部が前記各層毎に配設されると共に、互いにビア接続され、第２線路部は、前記いずれかの層において当該層に配設された第１線路部と電気的に接続されている、
ことを特徴とする第１構成から第４構成のうちのいずれか１の構成に記載の小型スロット型アンテナ。
（７）第７構成
前記ストリップ線路は、前記第２線路部の幅方向の中心、前記スロットの長辺の中心から左右いずれかの方向にオフセットされている、
ことを特徴とする第１構成から第６構成のうちのいずれか１の構成に記載の小型スロット型アンテナ。
（８）以上の構成により次の効果を得ることができる。
（ａ）本構成によれば、ストリップ線路の第１線路部を、スロットの投影領域内に配設し、第２線路部からの給電によりスロット周辺の導体板と電磁的に接続されるように構成したので、小型スロット型アンテナをより小型化することができる。
（ｂ）第２構成に記載の構成によれば、スロットから導体板の辺までスリットが形成されているので、同一の共振周波数を基準にした場合に、より小型化することが可能になる。
（ｃ）第４構成に記載の構成によれば、スロットの短手方向の辺と、スロットの内側に延伸して形成された内向延伸部との間により、スリットがスロット内に延伸して形成されているので、より小型化することが可能になる。
（ｄ）第５構成に記載の構成によれば、導体板は、所定間隔をおいて複数層配設されると共に互いにビア接続されているので、同一の共振周波数を基準にした場合に、より小型化することが可能になる。
【符号の説明】
【００８２】
１０  小型スロット型アンテナモジュール
２０  小型スロット型アンテナ
１１  金属基板
１２  スロット端基板部
１３  内向延伸部
１５  スルーホール
１６  給電部用スリット
２１  スロット
２２  スリット（外向スリット、内向スリット）
３０  誘電体
４０  ストリップ線路
４１  第１線路部
４２  第２線路部
４３  スルーホール
【図１】
0006007295.tif 000002
【図２】
0006007295.tif 000003
【図３】
0006007295.tif 000004
【図４】
0006007295.tif 000005
【図５】
0006007295.tif 000006
【図６】
0006007295.tif 000007
【図７】
0006007295.tif 000008
【図８】
0006007295.tif 000009
【図９】
0006007295.tif 000010
【図１０】
0006007295.tif 000011
【図１１】
0006007295.tif 000012
【図１２】
0006007295.tif 000013
【図１３】
0006007295.tif 000014
【図１４】
0006007295.tif 000015